(57)【特許請求の範囲】
【請求項１】
１本の少なくとも一部に千鳥状の三重ミシン目を有するミシン目（１２）を底面（７）と連結する下側外フラップ（１０）、該底面（７）、該底面（７）と連結する他方の下側外フラップ（１０）に繋がる形態でそれぞれ設けると共に、該底面（７）に設けた千鳥状の三重ミシン目を起点として破断すると、千鳥状の三重ミシン目の破断線は連続した凹凸形状となる、切り込み（１４）を有するフィルム（１３）を上面（５）に接着して有ることを特徴とするティッシュペーパー収納箱。
【発明の詳細な説明】
【技術分野】
【０００１】
本発明はティッシュペーパー収納箱に係わる。
【背景技術】
【０００２】
特許文献１においては書類より例えばティシュペーパー残量が少なくなった場合の取り出し性低下を防止することができるというところで本発明と目的を異にし、又、書類より本発明と構成を異にする。
【０００３】
特許文献２においては書類より本発明と目的は略一致しているが、書類より本発明と構成を異にする。
【０００４】
特許文献３においては書類より本発明と目的を異にし、又、書類より１本のミシン目（１２）を底面（７）と連結する下側外フラップ（１０）、前記底面（７）、前記底面（７）と連結する他方の下側外フラップ（１０）に繋がる形態でそれぞれ設けることあるいは１本の少なくとも一部に千鳥状の三重ミシン目を有するミシン目（１２）を底面（７）と連結する下側外フラップ（１０）、前記底面（７）、前記底面（７）と連結する他方の下側外フラップ（１０）に繋がる形態でそれぞれ設けると共に、前記底面（７）に設けた千鳥状の三重ミシン目を起点として破断すると、千鳥状の三重ミシン目の破断線は連続した凹凸形状となること、前記ミシン目（１２）は端部まで達していることが明確ではないというところで本発明と構成を異にする。
【先行技術文献】
【特許文献】
【０００５】
【特許文献１】特許第４４２９３８２号公報
【特許文献２】特開２００９−２８６４４７号公報
【特許文献３】実開昭５６−１５０７８５号公報
【発明の概要】
【発明が解決しようとする課題】
【０００６】
ティッシュペーパー収納箱を使用した後に前記ティッシュペーパー収納箱の底面（７）と連結する下側外フラップ（１０）に設けられているミシン目（１２）をそれぞれ破断して、前記ティッシュペーパー収納箱の上面（５）と連結する上側外フラップ（９）、前記下側外フラップ（１０）、前記上面（５）と連結しており前記底面（７）と連結する側面（６）と連結する内フラップ（８）、前記内フラップ（８）の接着されている部分をそれぞれ剥がして前記ティッシュペーパー収納箱の側面をそれぞれ開封して、前記ティッシュペーパー収納箱を折りたたむこと、前記ティッシュペーパー収納箱と前記上面（５）に接着されている切り込み（１４）を有するフィルム（１３）を分別するために前記底面（７）と連結する糊代（１１）の接着されている部分を剥がして略平板状に展開して、前記展開した形態で前記フィルム（１３）を前記上面（５）から剥がすことに手間がかかるという短所があった。
【課題を解決するための手段】
【０００７】
１本のミシン目（１２）を底面（７）と連結する下側外フラップ（１０）、該底面（７）、該底面（７）と連結する他方の下側外フラップ（１０）に繋がる形態でそれぞれ設けると共に、切り込み（１４）を有するフィルム（１３）を上面（５）に接着して有ることを特徴とする。
【０００８】
１本の少なくとも一部に千鳥状の三重ミシン目を有するミシン目（１２）を底面（７）と連結する下側外フラップ（１０）、該底面（７）、該底面（７）と連結する他方の下側外フラップ（１０）に繋がる形態でそれぞれ設けると共に、該底面（７）に設けた千鳥状の三重ミシン目を起点として破断すると、千鳥状の三重ミシン目の破断線は連続した凹凸形状となる、切り込み（１４）を有するフィルム（１３）を上面（５）に接着して有ることを特徴とする。
【発明の効果】
【０００９】
本発明は、１本のミシン目（１２）を底面（７）と連結する下側外フラップ（１０）、該底面（７）、該底面（７）と連結する他方の下側外フラップ（１０）に繋がる形態でそれぞれ設けると共に、切り込み（１４）を有するフィルム（１３）を上面（５）に接着して有ることで、ティッシュペーパー収納箱を使用した後に該ミシン目（１２）の外側のうちの両方を押して、該ミシン目（１２）を該底面（７）に設けたミシン目（１２）、該下側外フラップ（１０）に設けたミシン目（１２）の順にそれぞれ破断して、該上面（５）と連結する上側外フラップ（９）、該下側外フラップ（１０）、該上面（５）と連結しており該底面（７）と連結する側面（６）と連結する内フラップ（８）、該内フラップ（８）の接着して有る部分をそれぞれ剥がして前記それぞれ破断した部分に指が触れたときに指を痛めることがなく、簡単にティッシュペーパー収納箱を略平板状に展開することができる。又、ティッシュペーパー収納箱と該フィルム（１３）を分別するために前記展開した形態で簡単に該フィルム（１３）を該上面（５）から剥がすことができる。
【００１０】
又、本発明は、１本の少なくとも一部に千鳥状の三重ミシン目を有するミシン目（１２）を底面（７）と連結する下側外フラップ（１０）、該底面（７）、該底面（７）と連結する他方の下側外フラップ（１０）に繋がる形態でそれぞれ設けると共に、該底面（７）に設けた千鳥状の三重ミシン目を起点として破断すると、千鳥状の三重ミシン目の破断線は連続した凹凸形状となる、切り込み（１４）を有するフィルム（１３）を上面（５）に接着して有ることで、ティッシュペーパー収納箱を使用した後に該ミシン目（１２）の外側のうちの一方あるいは両方もしくは該ミシン目（１２）を押して、該ミシン目（１２）を該底面（７）に設けたミシン目（１２）、該下側外フラップ（１０）に設けたミシン目（１２）の順にそれぞれ破断して、該上面（５）と連結する上側外フラップ（９）、該下側外フラップ（１０）、該上面（５）と連結しており該底面（７）と連結する側面（６）と連結する内フラップ（８）、該内フラップ（８）の接着して有る部分をそれぞれ剥がして前記それぞれ破断した部分に指が触れたときに指を痛めることがなく、簡単にティッシュペーパー収納箱を略平板状に展開することができる。又、ティッシュペーパー収納箱と該フィルム（１３）を分別するために前記展開した形態で簡単に該フィルム（１３）を該上面（５）から剥がすことができる。
【００１１】
又、本発明は低コストで実現することができるため、材料費のコストダウンを図ることができる。
【図面の簡単な説明】
【００１２】
【図１】組み立てる前の本発明の実施例１のティッシュペーパー収納箱の外側の面を示す略平面図
【図２】組み立てたときの本発明の実施例１のティッシュペーパー収納箱の外観図
【図３】底面と連結する下側外フラップ、前記底面、前記底面と連結する他方の下側外フラップに繋がる形態でそれぞれ設けたミシン目を前記底面に設けたミシン目、前記下側外フラップに設けたミシン目の順にそれぞれ破断したときの図２の本発明の実施例１のティッシュペーパー収納箱の外観図
【図４】上面と連結する上側外フラップ、底面と連結する下側外フラップ、前記上面と連結しており前記底面と連結する側面と連結する内フラップ、前記内フラップの接着して有る部分をそれぞれ剥がして略平板状に展開したときの図３の本発明の実施例１のティッシュペーパー収納箱の内側の面を示す略平面図
【図５】組み立てる前の本発明の実施例２のティッシュペーパー収納箱の外側の面を示す略平面図
【図６】組み立てたときの本発明の実施例２のティッシュペーパー収納箱の外観図
【図７】底面と連結する下側外フラップ、前記底面、前記底面と連結する他方の下側外フラップに繋がる形態でそれぞれ設けたミシン目を前記底面に設けたミシン目、前記下側外フラップに設けたミシン目の順にそれぞれ破断したときの図６の本発明の実施例２のティッシュペーパー収納箱の外観図
【図８】上面と連結する上側外フラップ、底面と連結する下側外フラップ、前記上面と連結しており前記底面と連結する側面と連結する内フラップ、前記内フラップの接着して有る部分をそれぞれ剥がして略平板状に展開したときの図７の本発明の実施例２のティッシュペーパー収納箱の内側の面を示す略平面図
【図９】組み立てる前の本発明の実施例３のティッシュペーパー収納箱の外側の面を示す略平面図
【図１０】組み立てたときの本発明の実施例３のティッシュペーパー収納箱の外観図
【図１１】底面と連結する下側外フラップ、前記底面、前記底面と連結する他方の下側外フラップに繋がる形態でそれぞれ設けたミシン目を前記底面に設けたミシン目、前記下側外フラップに設けたミシン目の順にそれぞれ破断したときの図１０の本発明の実施例３のティッシュペーパー収納箱の外観図
【図１２】上面と連結する上側外フラップ、底面と連結する下側外フラップ、前記上面と連結しており前記底面と連結する側面と連結する内フラップ、前記内フラップの接着して有る部分をそれぞれ剥がして略平板状に展開したときの図１１の本発明の実施例３のティッシュペーパー収納箱の内側の面を示す略平面図
【図１３】組み立てる前の本発明の実施例４のティッシュペーパー収納箱の外側の面を示す略平面図
【図１４】組み立てたときの本発明の実施例４のティッシュペーパー収納箱の外観図
【図１５】底面と連結する下側外フラップ、前記底面、前記底面と連結する他方の下側外フラップに繋がる形態でそれぞれ設けたミシン目を前記底面に設けたミシン目、前記下側外フラップに設けたミシン目の順にそれぞれ破断したときの図１４の本発明の実施例４のティッシュペーパー収納箱の外観図
【図１６】上面と連結する上側外フラップ、底面と連結する下側外フラップ、前記上面と連結しており前記底面と連結する側面と連結する内フラップ、前記内フラップの接着して有る部分をそれぞれ剥がして略平板状に展開したときの図１５の本発明の実施例４のティッシュペーパー収納箱の内側の面を示す略平面図
【図１７】組み立てる前の従来のティッシュペーパー収納箱の外側の面を示す略平面図
【図１８】組み立てたときの従来のティッシュペーパー収納箱の外観図
【図１９】底面と連結する下側外フラップに設けられているミシン目をそれぞれ破断して、上面と連結する上側外フラップ、前記下側外フラップ、前記底面と連結しており前記上面と連結する側面と連結する内フラップ、前記内フラップの接着されている部分をそれぞれ剥がして側面をそれぞれ開封したときの図１８の従来のティッシュペーパー収納箱の外観図
【図２０】折りたたんだときの図１９の従来のティッシュペーパー収納箱の外観図
【図２１】底面と連結する糊代の接着されている部分を剥がして略平板状に展開したときの図２０の従来のティッシュペーパー収納箱の内側の面を示す略平面図
【図２２】組み立てる前の従来のティッシュペーパー収納箱の外側の面を示す略平面図
【図２３】組み立てたときの従来のティッシュペーパー収納箱の外観図
【図２４】底面と連結する下側外フラップに設けられているミシン目をそれぞれ破断して、上面と連結する上側外フラップ、前記下側外フラップ、前記底面と連結しており前記上面と連結する側面と連結する内フラップ、前記内フラップの接着されている部分をそれぞれ剥がして側面をそれぞれ開封したときの図２３の従来のティッシュペーパー収納箱の外観図
【図２５】折りたたんだときの図２４の従来のティッシュペーパー収納箱の外観図
【図２６】底面と連結する糊代の接着されている部分を剥がして略平板状に展開したときの図２５の従来のティッシュペーパー収納箱の内側の面を示す略平面図
【発明を実施するための形態】
【００１３】
本発明を実施するための形態を各図を参照して説明する。
本発明は、１本のミシン目１２を底面７と連結する下側外フラップ１０、該底面７、該底面７と連結する他方の下側外フラップ１０に繋がる形態でそれぞれ設けると共に、切り込み１４を有するフィルム１３を上面５に接着して有るティッシュペーパー収納箱である。本発明の素材は紙、プラスチックなどが挙げられる。しかし、本発明の素材は本発明を実施することができれば特定の素材に限定しなくてもよい。又、該ミシン目１２は端部まで達している。又、前記ティッシュペーパー収納箱を組み立てたときに、該上面５と連結する上側外フラップ９の外側になる形態で前記それぞれ設ける場合、後記ティッシュペーパー収納箱を組み立てたときに、上面５と連結する上側外フラップ９の外側になる形態で後記それぞれ設ける場合を含む。又、該ミシン目１２の切れ目及び間隔は特定のものに限定しなくてもよい。又、該ミシン目１２の形態はまっすぐな形態など、湾曲した形態などを含む。又、該ミシン目１２は１ヶ所に限定しなくてもよい。
【００１４】
又、本発明は、１本の少なくとも一部に千鳥状の三重ミシン目を有するミシン目１２を底面７と連結する下側外フラップ１０、該底面７、該底面７と連結する他方の下側外フラップ１０に繋がる形態でそれぞれ設けると共に、該底面７に設けた千鳥状の三重ミシン目を起点として破断すると、千鳥状の三重ミシン目の破断線は連続した凹凸形状となる、切り込み１４を有するフィルム１３を上面５に接着して有るティッシュペーパー収納箱にしてもよい。
【実施例１】
【００１５】
本発明の実施例１においては図１〜図４に示すように１本のミシン目１２を底面７と連結する下側外フラップ１０、該底面７、該底面７と連結する他方の下側外フラップ１０に繋がる形態でそれぞれ設けると共に、切り込み１４を有するフィルム１３を上面５に接着して有るティッシュペーパー収納箱に係わる。又、本発明の実施例１のティッシュペーパー収納箱をティッシュペーパー収納箱１とする。
【００１６】
図１７〜図２１に示す従来のティッシュペーパー収納箱においてはティッシュペーパー収納箱を使用した後に図１９に示すように該ティッシュペーパー収納箱の底面７と連結する下側外フラップ１０に設けられているミシン目１２をそれぞれ破断して、該ティッシュペーパー収納箱の上面５と連結する上側外フラップ９、該下側外フラップ１０、該底面７と連結しており該上面５と連結する側面６と連結する内フラップ８、該内フラップ８の接着されている部分をそれぞれ剥がして該ティッシュペーパー収納箱の側面をそれぞれ開封して、図２０に示すように該ティッシュペーパー収納箱を折りたたむこと、該ティッシュペーパー収納箱と該上面５に接着されている切り込み１４を有するフィルム１３を分別するために図２１に示すように該底面７と連結する糊代１１の接着されている部分を剥がして略平板状に展開して、前記展開した形態で該フィルム１３を該上面５から剥がすことに手間がかかる。
【００１７】
しかし、本発明の実施例１においては図１〜図４に示すように１本のミシン目１２を底面７と連結する下側外フラップ１０、該底面７、該底面７と連結する他方の下側外フラップ１０に繋がる形態でそれぞれ設けると共に、切り込み１４を有するフィルム１３を上面５に接着して有ることで、ティッシュペーパー収納箱１を使用した後に該ミシン目１２の外側のうちの両方を押して、図３に示すように該ミシン目１２を該底面７に設けたミシン目１２、該下側外フラップ１０に設けたミシン目１２の順にそれぞれ破断して、図４に示すように該上面５と連結する上側外フラップ９、該下側外フラップ１０、該上面５と連結しており該底面７と連結する側面６と連結する内フラップ８、該内フラップ８の接着して有る部分をそれぞれ剥がして前記それぞれ破断した部分に指が触れたときに指を痛めることがなく、簡単に該ティッシュペーパー収納箱１を略平板状に展開することができる。又、該ティッシュペーパー収納箱１と該フィルム１３を分別するために図４に示す前記展開した形態で簡単に該フィルム１３を該上面５から剥がすことができる。
【００１８】
又、本発明の実施例１は低コストで実現することができるため、材料費のコストダウンを図ることができる。
【実施例２】
【００１９】
本発明の実施例２においては図５〜図８に示すように１本のミシン目１２を底面７と連結する下側外フラップ１０、該底面７、該底面７と連結する他方の下側外フラップ１０に繋がる形態でそれぞれ設けると共に、切り込み１４を有するフィルム１３を上面５に接着して有るティッシュペーパー収納箱に係わる。又、本発明の実施例２のティッシュペーパー収納箱をティッシュペーパー収納箱２とする。
【００２０】
図２２〜図２６に示す従来のティッシュペーパー収納箱においてはティッシュペーパー収納箱を使用した後に図２４に示すように該ティッシュペーパー収納箱の底面７と連結する下側外フラップ１０に設けられているミシン目１２をそれぞれ破断して、該ティッシュペーパー収納箱の上面５と連結する上側外フラップ９、該下側外フラップ１０、該底面７と連結しており該上面５と連結する側面６と連結する内フラップ８、該内フラップ８の接着されている部分をそれぞれ剥がして該ティッシュペーパー収納箱の側面をそれぞれ開封して、図２５に示すように該ティッシュペーパー収納箱を折りたたむこと、該ティッシュペーパー収納箱と該上面５に接着されている切り込み１４を有するフィルム１３を分別するために図２６に示すように該底面７と連結する糊代１１の接着されている部分を剥がして略平板状に展開して、前記展開した形態で該フィルム１３を該上面５から剥がすことに手間がかかる。
【００２１】
しかし、本発明の実施例２においては図５〜図８に示すように１本のミシン目１２を底面７と連結する下側外フラップ１０、該底面７、該底面７と連結する他方の下側外フラップ１０に繋がる形態でそれぞれ設けると共に、切り込み１４を有するフィルム１３を上面５に接着して有ることで、ティッシュペーパー収納箱２を使用した後に該ミシン目１２の外側のうちの両方を押して、図７に示すように該ミシン目１２を該底面７に設けたミシン目１２、該下側外フラップ１０に設けたミシン目１２の順にそれぞれ破断して、図８に示すように該上面５と連結する上側外フラップ９、該下側外フラップ１０、該上面５と連結しており該底面７と連結する側面６と連結する内フラップ８、該内フラップ８の接着して有る部分をそれぞれ剥がして前記それぞれ破断した部分に指が触れたときに指を痛めることがなく、簡単に該ティッシュペーパー収納箱２を略平板状に展開することができる。又、該ティッシュペーパー収納箱２と該フィルム１３を分別するために図８に示す前記展開した形態で簡単に該フィルム１３を該上面５から剥がすことができる。
【００２２】
又、本発明の実施例２は低コストで実現することができるため、材料費のコストダウンを図ることができる。
【実施例３】
【００２３】
本発明の実施例３においては図９〜図１２に示すように１本の少なくとも一部に千鳥状の三重ミシン目を有するミシン目１２を底面７と連結する下側外フラップ１０、該底面７、該底面７と連結する他方の下側外フラップ１０に繋がる形態でそれぞれ設けると共に、該底面７に設けた千鳥状の三重ミシン目を起点として破断すると、千鳥状の三重ミシン目の破断線は連続した凹凸形状となる、切り込み１４を有するフィルム１３を上面５に接着して有るティッシュペーパー収納箱に係わる。又、従来のティッシュペーパー収納箱においての説明は本発明の実施例１と同様であるため、省略する。又、本発明の実施例３のティッシュペーパー収納箱をティッシュペーパー収納箱３とする。
【００２４】
本発明の実施例３においては図９〜図１２に示すように１本の少なくとも一部に千鳥状の三重ミシン目を有するミシン目１２を底面７と連結する下側外フラップ１０、該底面７、該底面７と連結する他方の下側外フラップ１０に繋がる形態でそれぞれ設けると共に、該底面７に設けた千鳥状の三重ミシン目を起点として破断すると、千鳥状の三重ミシン目の破断線は連続した凹凸形状となる、切り込み１４を有するフィルム１３を上面５に接着して有ることで、ティッシュペーパー収納箱３を使用した後に該ミシン目１２の外側のうちの一方あるいは両方もしくは該ミシン目１２を押して、図１１に示すように該ミシン目１２を該底面７に設けたミシン目１２、該下側外フラップ１０に設けたミシン目１２の順にそれぞれ破断して、図１２に示すように該上面５と連結する上側外フラップ９、該下側外フラップ１０、該上面５と連結しており該底面７と連結する側面６と連結する内フラップ８、該内フラップ８の接着して有る部分をそれぞれ剥がして前記それぞれ破断した部分に指が触れたときに指を痛めることがなく、簡単に該ティッシュペーパー収納箱３を略平板状に展開することができる。又、該ティッシュペーパー収納箱３と該フィルム１３を分別するために図１２に示す前記展開した形態で簡単に該フィルム１３を該上面５から剥がすことができる。
【００２５】
又、本発明の実施例３は低コストで実現することができるため、材料費のコストダウンを図ることができる。
【実施例４】
【００２６】
本発明の実施例４においては図１３〜図１６に示すように１本の少なくとも一部に千鳥状の三重ミシン目を有するミシン目１２を底面７と連結する下側外フラップ１０、該底面７、該底面７と連結する他方の下側外フラップ１０に繋がる形態でそれぞれ設けると共に、該底面７に設けた千鳥状の三重ミシン目を起点として破断すると、千鳥状の三重ミシン目の破断線は連続した凹凸形状となる、切り込み１４を有するフィルム１３を上面５に接着して有るティッシュペーパー収納箱に係わる。又、従来のティッシュペーパー収納箱においての説明は本発明の実施例２と同様であるため、省略する。又、本発明の実施例４のティッシュペーパー収納箱をティッシュペーパー収納箱４とする。
【００２７】
本発明の実施例４においては図１３〜図１６に示すように１本の少なくとも一部に千鳥状の三重ミシン目を有するミシン目１２を底面７と連結する下側外フラップ１０、該底面７、該底面７と連結する他方の下側外フラップ１０に繋がる形態でそれぞれ設けると共に、該底面７に設けた千鳥状の三重ミシン目を起点として破断すると、千鳥状の三重ミシン目の破断線は連続した凹凸形状となる、切り込み１４を有するフィルム１３を上面５に接着して有ることで、ティッシュペーパー収納箱４を使用した後に該ミシン目１２の外側のうちの一方あるいは両方もしくは該ミシン目１２を押して、図１５に示すように該ミシン目１２を該底面７に設けたミシン目１２、該下側外フラップ１０に設けたミシン目１２の順にそれぞれ破断して、図１６に示すように該上面５と連結する上側外フラップ９、該下側外フラップ１０、該上面５と連結しており該底面７と連結する側面６と連結する内フラップ８、該内フラップ８の接着して有る部分をそれぞれ剥がして前記それぞれ破断した部分に指が触れたときに指を痛めることがなく、簡単に該ティッシュペーパー収納箱４を略平板状に展開することができる。又、該ティッシュペーパー収納箱４と該フィルム１３を分別するために図１６に示す前記展開した形態で簡単に該フィルム１３を該上面５から剥がすことができる。
【００２８】
又、本発明の実施例４は低コストで実現することができるため、材料費のコストダウンを図ることができる。
【産業上の利用可能性】
【００２９】
本発明は、使い勝手がよい構成を低コストで実現することができるため、市場における拡販及び利便性の向上を期待することができる。
【符号の説明】
【００３０】
１    ティッシュペーパー収納箱
２    ティッシュペーパー収納箱
３    ティッシュペーパー収納箱
４    ティッシュペーパー収納箱
５    上面
６    側面
７    底面
８    内フラップ
９    上側外フラップ
１０  下側外フラップ
１１  糊代
１２  ミシン目
１３  フィルム
１４  切り込み
【要約】      （修正有）【課題】ティッシュペーパー収納箱を使用した後に、収納箱の底面と連結する下側外フラップに設けられているミシン目をそれぞれ破断して、内フラップの接着されている部分をそれぞれ剥がして収納箱の側面をそれぞれ開封して、収納箱を折りたたむ時に、収納箱と上面に接着されている切り込みを有するフィルムを分別することが容易なティッシュペーパー収納箱を提供する。【解決手段】１本のミシン目１２を底面７と連結する下側外フラップ１０、該底面７、該底面７と連結する他方の下側外フラップ１０に繋がる形態でそれぞれ設けると共に、切り込みを有するフィルムを上面５に接着して有る構成。【選択図】図１【図１】
0004755311.tif 000002
【図２】
0004755311.tif 000003
【図３】
0004755311.tif 000004
【図４】
0004755311.tif 000005
【図５】
0004755311.tif 000006
【図６】
0004755311.tif 000007
【図７】
0004755311.tif 000008
【図８】
0004755311.tif 000009
【図９】
0004755311.tif 000010
【図１０】
0004755311.tif 000011
【図１１】
0004755311.tif 000012
【図１２】
0004755311.tif 000013
【図１３】
0004755311.tif 000014
【図１４】
0004755311.tif 000015
【図１５】
0004755311.tif 000016
【図１６】
0004755311.tif 000017
【図１７】
0004755311.tif 000018
【図１８】
0004755311.tif 000019
【図１９】
0004755311.tif 000020
【図２０】
0004755311.tif 000021
【図２１】
0004755311.tif 000022
【図２２】
0004755311.tif 000023
【図２３】
0004755311.tif 000024
【図２４】
0004755311.tif 000025
【図２５】
0004755311.tif 000026
【図２６】
0004755311.tif 000027